(57)【要約】臨床ケアにおける医療ケアアルゴリズムの使用は、患者の治療において為される過失の数を低減させる。臨床ケアにおける医療ケアアルゴリズムの使用はまた、ケアを患者に提供する際、医療介護提供者の自信を増加させる。本発明は、効果的に、全面的に、かつ容易に、医療介護提供者に、危機的、やや危機的、および非危機的医療ケアアルゴリズムへのリアルタイムアクセスを与えるためのシステムおよび方法を提供する。本発明はまた、医療介護提供者が、健康ケアにおいて一般に使用される先を見越したガイドラインを参考にするためのシステムおよび方法を提供する。本発明はまた、医療介護提供者に、アルゴリズムを精査および継続的教育のためのリフレッシャツールとして利用する方法をもたらす。さらに、本発明は、電子医療記録としてのアルゴリズムベースの治療の文書化のための方法を提供する。
2016518645.tif 000002
【特許請求の範囲】
【請求項１】
医療ケアアルゴリズムを提供する方法であって、前記方法は、
ａ）プロセッサを備えているコンピュータシステム上のモジュールへのアクセスを提供することであって、前記モジュールは、複数の医療ケアアルゴリズムに関連付けられ、前記モジュールは、各々が少なくとも１つの医療ケアアルゴリズムに独立して関連付けられた複数の選択可能アイコンをユーザに表示する、ことと、
ｂ）前記ユーザが前記選択可能アイコンのうちの少なくとも１つ選択したことを決定することであって、それに応じて、前記プロセッサは、前記選択されたアイコンに関連付けられた医療ケアアルゴリズムに対して、医療ケアアルゴリズムデータベースを検索し、選択された医療ケアアルゴリズムを提供する、ことと、
ｃ）前記コンピュータシステムによって、前記選択されたアイコンが選択されたこを記録することであって、前記記録は、アクセスの電子医療記録を提供する、ことと、
ｄ）ディスプレイ上に、前記選択された医療ケアアルゴリズムの少なくとも一部を表示することと
を含む、方法。
【請求項２】
前記選択された医療ケアアルゴリズムは、危機的ケアアルゴリズムを備えている、請求項１に記載の方法。
【請求項３】
前記選択された医療ケアアルゴリズムは、やや危機的ケアアルゴリズムを備えている、請求項１に記載の方法。
【請求項４】
前記選択された医療ケアアルゴリズムは、小児科ケアアルゴリズムを備えている、請求項１に記載の方法。
【請求項５】
前記選択された医療ケアアルゴリズムは、手技特有のアルゴリズムを備えている、請求項１に記載の方法。
【請求項６】
前記選択された医療ケアアルゴリズムは、外科手術手技を行うためのアルゴリズムを備えている、請求項１に記載の方法。
【請求項７】
少なくとも１つのステップに関連付けられたステップアイコンを選択することによって、前記医療ケアアルゴリズムの前記少なくとも１つのステップを医療記録内に記録することをさらに含む、請求項１に記載の方法。
【請求項８】
前記医療記録内に記録することは、タイムスタンプを記録する、請求項７に記載の方法。
【請求項９】
関連医療媒体を表示することをさらに含む、請求項１に記載の方法。
【請求項１０】
対象のための治療介入を提案することをさらに含み、前記治療介入は、前記選択されたアイコンに関連する、請求項１に記載の方法。
【請求項１１】
エンコードされたコンピュータ実行可能コードを有するコンピュータ読み取り可能な媒体を備えているコンピュータプログラム製品であって、前記コンピュータ実行可能コードは、医療ケアアルゴリズムを提供する方法製品を実装するよう実行されるように適合され、
前記方法は、
ａ）医療ケアアルゴリズム管理システムを提供することであって、前記医療ケアアルゴリズム管理システムは、
ｉ）ディスプレイモジュールと、
ｉｉ）検出モジュールと、
ｉｉｉ）検索モジュールと、
ｉｖ）出力モジュールと
を備えている、ことと、
ｂ）前記ディスプレイモジュールによって、複数の選択可能アイコンをユーザに表示することであって、各選択可能アイコンは、医療ケアアルゴリズムに独立して関連付けられている、ことと、
ｃ）前記検出モジュールによって、選択可能アイコンが前記ユーザによって選択されたことを検出することであって、前記選択されたアイコンは、識別を有する、ことと、
ｄ）前記選択されたアイコンの識別に基づいて、前記検索モジュールによって、医療ケアアルゴリズムのデータベースを検索することであって、前記検索は、前記選択されたアイコンに関連付けられた識別された医療ケアアルゴリズムを識別する、ことと、
ｅ）前記出力モジュールによって、前記識別された医療ケアアルゴリズムを出力することと
を含む、コンピュータプログラム製品。
【請求項１２】
前記識別された医療ケアアルゴリズムは、危機的ケアアルゴリズムを備えている、請求項１１に記載のコンピュータプログラム製品。
【請求項１３】
前記識別された医療ケアアルゴリズムは、やや危機的ケアアルゴリズムを備えている、請求項１１に記載のコンピュータプログラム製品。
【請求項１４】
前記識別された医療ケアアルゴリズムは、小児科ケアアルゴリズムを備えている、請求項１１に記載のコンピュータプログラム製品。
【請求項１５】
前記識別された医療ケアアルゴリズムは、専門科特有のアルゴリズムを備えている、請求項１１に記載のコンピュータプログラム製品。
【請求項１６】
前記医療ケアアルゴリズム管理システムは、少なくとも１つの薬分注システムに対する処方インターフェースをさらに備え、前記方法は前記処方インターフェースによって、処方要求を前記薬調合機械に提出することをさらに含む、請求項１１に記載のコンピュータプログラム製品。
【請求項１７】
前記電子医療記録は、タイムスタンプをさらに備えている、請求項１６に記載のコンピュータプログラム製品。
【請求項１８】
前記医療ケアアルゴリズム管理システムは、少なくとも１つの薬局への薬局インターフェースをさらに備え、前記方法は、電子医療記録を提供することをさらに含む、請求項１１に記載のコンピュータプログラム製品。
【請求項１９】
前記電子医療記録は、タイムスタンプをさらに備えている、請求項１８に記載のコンピュータプログラム製品。
【請求項２０】
前記出力モジュールは、前記識別された医療アルゴリズムのステップを出力する、請求項１１に記載のコンピュータプログラム製品。
【請求項２１】
前記医療ケアアルゴリズム管理システムは、ナビゲーションモジュールをさらに備え、前記ナビゲーションモジュールは、承認アイコンを備え、前記ナビゲーションモジュールは、前記承認アイコンが選択されたことを検出すると、後続ステップをさらに表示する、請求項１１に記載のコンピュータプログラム製品。
【請求項２２】
前記承認アイコンを選択することは、前記後続ステップの出力に先立って要求される、請求項２１に記載のコンピュータプログラム製品。
【請求項２３】
前記ナビゲーションモジュールは、複数の分岐アイコンを備え、各分岐アイコンは、前記識別された医療ケアアルゴリズムの異なる分岐に独立して関連付けられ、前記ナビゲーションモジュールは、選択された分岐に関連付けられた前記分岐アイコンが選択されたことを検出すると、前記選択された分岐にアクセスする、請求項２１に記載のコンピュータプログラム製品。
【請求項２４】
前記方法は、記録モジュールをさらに含み、前記記録モジュールは、対象に関連付けられた少なくとも１つのパラメータを記録する、請求項１１に記載のコンピュータプログラム製品。
【請求項２５】
前記方法は、前記記録されたパラメータに基づいて、前記対象に合わせて前記識別された医療ケアアルゴリズムをカスタマイズすることをさらに含む、請求項２４に記載のコンピュータプログラム製品。
【請求項２６】
前記方法は、前記記録されたパラメータに基づいて、処方要求を薬調合機械に提出することをさらに含む、請求項２４に記載のコンピュータプログラム製品。
【請求項２７】
前記方法はさらに、前記記録されたパラメータに基づいて、処方要求を薬局に提出することを含む、請求項２４に記載のコンピュータプログラム製品。
【請求項２８】
前記治療される対象に関連付けられたパラメータは、前記治療される対象の体重である、請求項１１に記載のコンピュータプログラム製品。
【請求項２９】
前記治療される対象に関連付けられたパラメータは、前記治療される対象の年齢である、請求項１１に記載のコンピュータプログラム製品。
【請求項３０】
前記治療される対象に関連付けられたパラメータは、前記治療される対象の性別である、請求項１１に記載のコンピュータプログラム製品。
【請求項３１】
前記方法は、前記出力モジュールによって、関連医療媒体を出力することをさらに含む、請求項１１に記載のコンピュータプログラム製品。
【請求項３２】
医療ケアアルゴリズムを提供する方法であって、前記方法は、
ａ）コンピュータシステムによって、要求を受信することであって、前記コンピュータシステムは、プロセッサを備えている、ことと、
ｂ）前記プロセッサによって、前記要求に基づいて、医療ケアアルゴリズムのデータベースを検索し、それによって、前記要求に関連付けられた少なくとも１つの医療ケアアルゴリズムを識別することと、
ｃ）前記コンピュータシステムによって、前記識別された医療ケアアルゴリズムを記録することであって、前記記録することは、前記要求の電子医療記録を提供する、ことと、
ｄ）前記識別された医療ケアアルゴリズムの少なくとも一部を表示することと
を含む、方法。
【請求項３３】
前記識別された医療ケアアルゴリズムを通して経過を追跡することをさらに含む、請求項３２に記載の方法。
【請求項３４】
前記経過は、対象に関連付けられた電子医療記録内に記録される、請求項３３に記載の方法。
【請求項３５】
前記識別された医療ケアアルゴリズムの少なくとも一部は、選択可能アイコンに関連付けられている、請求項３２に記載の方法。
【請求項３６】
前記選択可能アイコンは、タッチスクリーンアイコンである、請求項３５に記載の方法。
【請求項３７】
前記医療ケアアルゴリズムとともに、関連医療媒体を表示することをさらに含む、請求項３２に記載の方法。
【請求項３８】
前記識別された医療ケアアルゴリズムは、モバイルデバイス上に表示される、請求項３２に記載の方法。
【請求項３９】
前記医療ケアアルゴリズムは、危機的ケアアルゴリズムを備えている、請求項３２に記載の方法。
【請求項４０】
前記医療ケアアルゴリズムは、やや危機的ケアアルゴリズムを備えている、請求項３２に記載の方法。
【請求項４１】
前記医療ケアアルゴリズムは、小児科ケアアルゴリズムを備えている、請求項３２に記載の方法。
【請求項４２】
前記医療ケアアルゴリズムは、緊急ケアアルゴリズムを備えている、請求項３２に記載の方法。
【請求項４３】
前記医療ケアアルゴリズムは、外科手術手技を備えている、請求項３２に記載の方法。
【請求項４４】
前記医療ケアアルゴリズムは、手技特有のアルゴリズムを備えている、請求項３２に記載の方法。
【請求項４５】
前記識別された医療ケアアルゴリズムの少なくとも１つのステップを医療記録内に記録することをさらに含む、請求項３２に記載の方法。
【請求項４６】
対象のための治療介入を提案することをさらに含み、前記治療介入は、前記選択されたアイコンに関連する、請求項３２に記載の方法。
【請求項４７】
医療ケアアルゴリズムにアクセスする方法であって、前記方法は、
ａ）ユーザによって、少なくとも１つの医療ケアアルゴリズムを備えているモジュールにアクセスすることであって、前記モジュールは、プロセッサを備えているコンピュータシステムからアクセスされる、ことと、
ｂ）少なくとも１つの選択可能アイコンを選択することによって、前記モジュール内の医療ケアアルゴリズムをナビゲートすることであって、前記プロセッサは、前記選択に基づいて、電子医療記録を提供する、ことと、
ｃ）前記医療ケアアルゴリズムの少なくとも一部をディスプレイにおいて閲覧することと
を含む、方法。
【請求項４８】
前記医療ケアアルゴリズムに基づいて、治療介入を対象に提供することをさらに含む、請求項４７に記載の方法。
【請求項４９】
前記ユーザは、外科医であり、外科手術の準備のために、ａ）−ｃ）のうちの少なくとも１つを行う、請求項４７に記載の方法。
【請求項５０】
前記ユーザは、外科医であり、外科手術中、ａ）−ｃ）のうちの少なくとも１つを行う、請求項４７に記載の方法。
【請求項５１】
前記ナビゲートすることは、処方要求を薬調合機械に提出することをさらに含む、請求項４７に記載の方法。
【請求項５２】
前記ナビゲートすることは、処方要求を薬局に提出することをさらに含む、請求項４７に記載の方法。
【発明の詳細な説明】
【背景技術】
【０００１】
（関連出願）
本願は、米国仮出願第６１／７７８，２６９号（２０１３年３月１２日出願）の利益を主張し、上記出願の内容は、その全体が参照により本明細書に引用される。
【０００２】
（背景）
医療ケアアルゴリズムは、臨床医が、あるタイプの患者、病気、または臨床状況の場合に従うべき、診断または治療プロセスの概要を医師、看護士、および支援医療従事者に提供することによって、特定の標準ケアの健康ケアプロトコルを実施する際、医師を支援し、医療過誤を大幅に低減させるために開発されている。医療ケアアルゴリズムへのアクセスは、主治医、専門医、看護士、インターンのワークフローを改善することができ、かつ医療ケアの正確性、迅速性、および全体的送達を改善することができる。しかしながら、健康ケア施設は、一般に、救急部門、手術室、医療／外科手術ユニット、病院の治療室、および医師のオフィス等が、全必要医療ケアアルゴリズムのコピーを装備するには不十分であるように構成される。加えて、医療ケアアルゴリズムの利用可能なハードコピーは、常時更新されず、したがって、最新の治療発展を反映しない場合がある。
【０００３】
医療ケアアルゴリズムは、時として、インターネット上で見出されることができるが、インターネットソースから医療ケアアルゴリズムを見つけ、そこにアクセスし、それを読み出す能力への依拠は、危険かつ非効果的実践であり、それは、多くの場合、未証明かつ未認定ソースに由来するデータを患者のケアに適用する能力に依存する。そのような欠点は、個々の患者へのケアの送達に悪影響を及ぼし、患者を適切にケアする医師の能力を損なわせる。さらに、医療ケアアルゴリズムのハードコピーは、アルゴリズムを患者のケアに適用しながら、医師が、医療ケアアルゴリズムによって概略された全てのステップを肯定確認したことを確実にする機構を提供しない。
【発明の概要】
【課題を解決するための手段】
【０００４】
いくつかの実施形態では、本発明は、医療ケアアルゴリズムを提供する方法であって、ａ）プロセッサを備えているコンピュータシステム上のモジュールへのアクセスを提供することであって、モジュールは、複数の医療ケアアルゴリズムに関連付けられ、モジュールは、各々が少なくとも１つの医療ケアアルゴリズムに独立して関連付けられた複数の選択可能アイコンをユーザに表示する、ことと、ｂ）ユーザが選択可能アイコンのうちの少なくとも１つ選択したことを決定することであって、それに応じて、プロセッサは、選択されたアイコンに関連付けられた医療ケアアルゴリズムに対して、医療ケアアルゴリズムデータベースを検索し、選択された医療ケアアルゴリズムを提供する、ことと、ｃ）コンピュータシステムによって、選択されたアイコンが選択されたこを記録することであって、記録は、アクセスの電子医療記録を提供する、ことと、ｄ）ディスプレイ上に、選択された医療ケアアルゴリズムの少なくとも一部を表示することとを含む、方法を提供する。
【０００５】
いくつかの実施形態では、本発明は、エンコードされたコンピュータ実行可能コードを有するコンピュータ読み取り可能な媒体を備えているコンピュータプログラム製品であって、コンピュータ実行可能コードは、医療ケアアルゴリズムを提供する方法製品を実装するよう実行されるように適合され、方法は、ａ）医療ケアアルゴリズム管理システムを提供することであって、医療ケアアルゴリズム管理システムは、ｉ）ディスプレイモジュールと、ｉｉ）検出モジュールと、ｉｉｉ）検索モジュールと、ｉｖ）出力モジュールとを備えている、ことと、ｂ）ディスプレイモジュールによって、複数の選択可能アイコンをユーザに表示することであって、各選択可能アイコンは、医療ケアアルゴリズムに独立して関連付けられている、ことと、ｃ）検出モジュールによって、選択可能アイコンがユーザによって選択されたことを検出することであって、選択されたアイコンは、識別を有する、ことと、ｄ）選択されたアイコンの識別に基づいて、検索モジュールによって、医療ケアアルゴリズムのデータベースを検索することであって、検索は、選択されたアイコンに関連付けられた識別された医療ケアアルゴリズムを識別する、ことと、ｅ）出力モジュールによって、識別された医療ケアアルゴリズムを出力することとを含む、コンピュータプログラム製品を提供する。
【０００６】
いくつかの実施形態では、本発明は、医療ケアアルゴリズムを提供する方法であって、ａ）コンピュータシステムによって、要求を受信することであって、コンピュータシステムは、プロセッサを備えている、ことと、ｂ）プロセッサによって、要求に基づいて、医療ケアアルゴリズムのデータベースを検索し、それによって、要求に関連付けられた少なくとも１つの医療ケアアルゴリズムを識別することと、ｃ）コンピュータシステムによって、識別された医療ケアアルゴリズムを記録することであって、記録することは、要求の電子医療記録を提供することと、ｄ）識別された医療ケアアルゴリズムの少なくとも一部を表示することとを含む、方法を提供する。
【０００７】
いくつかの実施形態では、本発明は、医療ケアアルゴリズムにアクセスする方法であって、ａ）ユーザによって、少なくとも１つの医療ケアアルゴリズムを備えているモジュールにアクセスすることであって、モジュールは、プロセッサを備えているコンピュータシステムからアクセスされる、ことと、ｂ）少なくとも１つの選択可能アイコンを選択することによって、モジュール内の医療ケアアルゴリズムをナビゲートすることであって、プロセッサは、選択に基づいて、電子医療記録を提供する、ことと、ｃ）医療ケアアルゴリズムの少なくとも一部をディスプレイにおいて閲覧することとを含む、方法を提供する。
【図面の簡単な説明】
【０００８】
【図１】図１は、本発明の代表的ホームアイコンを図示する。
【図２】図２は、本発明によって提供される医療ケアアルゴリズムをナビゲートするとき、ユーザによって辿られる代表的ステップを図示する、フロー図である。
【図３】図３は、本発明の例示的実施形態とともに使用され得る、コンピュータシステムの第１の例示的アーキテクチャを図示する、ブロック図である。
【図４】図４は、本発明の例示的実施形態とともに使用され得る、コンピュータネットワークを図示する、略図である。
【図５】図５は、本発明の例示的実施形態とともに使用され得る、コンピュータシステムの第２の例示的アーキテクチャを図示する、ブロック図である。
【図６】図６は、本発明の製品を伝送することができる、グローバルネットワークを図示する。
【図７】図７は、本発明のシステムのシステムによって提供される、心室性頻拍の危機的ケアアルゴリズムの代表的インターフェースを図示する。
【図８】図８は、本発明のシステムによって提供される、分岐された心室性頻拍の危機的ケアアルゴリズムの代表的フルウィンドウ表現を図示する。
【図９】図９は、本発明のシステムによって提供される、分岐された悪性高熱症アルゴリズムの代表的フルウィンドウ表現を図示する。
【図１０】図１０は、代表的非危機的アルゴリズムを図示する、代表的選択可能アイコンを図示する。
【図１１】図１１は、健康ケアにおける代表的実践的パラメータを図示する、代表的選択可能アイコンを図示する。
【図１２】図１２は、危機的事象の医療記録を形成することができる、代表的パラメータを図示する。
【図１３】図１３は、コードブルー医療記録を形成することができる、代表的パラメータを図示する。
【図１４】図１４は、本発明の医療ケアアルゴリズムの代表的インターフェースを図示する。
【図１５】図１５は、本発明の医療ケアアルゴリズムの代表的インターフェースを図示する。
【図１６】図１６は、本発明の医療ケアアルゴリズムの代表的インターフェースを図示する。
【図１７】図１７は、本発明の医療ケアアルゴリズムの代表的インターフェースを図示する。
【発明を実施するための形態】
【０００９】
病院環境における対象の管理は、複雑な仕事である。対象を治療する際、臨床医は、詳細に、複数、かつ多くの場合、複雑な治療アルゴリズムを記憶し、それを思い出すことと対決させられる。ほとんどの臨床医は、医療ケアアルゴリズムのわずかな部分のみをルーチン的に使用するが、多くの臨床医、特に、緊急および危機的ケアを実践する臨床医は、要求に応じて、医療ケアアルゴリズムの全てのステップを思い出し、それを正しく実施することが期待される。
【００１０】
臨床医が、医療ケアアルゴリズムのステップを思い出し、それに追従する能力は、対象の生命に実質的影響を及ぼし得るが、特に、プロトコルが、頻繁に使用または精査されていない医療ケアアルゴリズムを実践することを要求する場合、危機の間、ストレスが、標準ケアプロトコルを思い出し、それを適用する臨床医の能力を損なわせ得る。さらに、医学的な緊急事態の間、対象のケアに関する決定は、多くの場合、短期間内で行われ、したがって、対象を治療する臨床医および臨床人員から速度および正確性の両方を要求する。
【００１１】
臨床医は、予期されるいくつかの医療ケアアルゴリズムを習得および記憶する困難に直面し、時として、実装することを要求される。本明細書に説明される本発明のシステムおよび方法は、アイコンの選択において、複数の医療ケアアルゴリズムへの容易かつ便利なアクセスを提供する。臨床医は、単に、本発明によって提供される少なくとも１つの選択可能アイコンを選択することによって、対象の治療において使用される、危機的、やや危機的、非危機的、小児科、および専門科特有の医療ケアアルゴリズムのステップにアクセスし、それを読み出し、承認し、かつそれを医療記録に記録することができる。臨床医はまた、本発明のシステムおよび方法を使用して、通常、ルーチン的医療予約時、初期一次ケア予約時、初期専門科ケア予約時、緊急予約時、対象経過観察予約時、手技予約時、および複数の対象との予約時において使用される、標準動作プロトコルを誘導する、一連の標準的医療パラメータにアクセスし、それを精査することができる。
【００１２】
さらに、臨床医に現在利用可能な多くの医療ケアアルゴリズムは、医療過程のための研究精査材料として設計されており、したがって、危機中の実際の使用のためにフォーマット化されていない。研究材料として設計される医療ケアアルゴリズムは、非常に包括的であり得、そのようなアルゴリズムは、多くの場合、ナビゲートが困難である、小冊子としてフォーマット化され得る。結果として、多くの既存の認可されたアルゴリズムのレイアウトは、概して、実際の臨床治療における参照として使用するために、容易に適用可能ではない。それにもかかわらず、臨床医は、任意のフォーマット、レイアウト、または設計において、常時、医療ケアアルゴリズムへの容易かつ高速なアクセスを有していない。ある麻酔科医は、病院に勤務している可能性があり、その病院では、例えば、二次救命処置（ＡＣＬＳ）協会によって提供される、最も一般に使用される危機的ケアアルゴリズムを治療室の壁のポスターとして貼り付けられたフロー図として提示される。同じ麻酔科医はまた、異なる病院でも勤務している可能性があり、その病院では、ＡＣＬＳによって提供される同危機的ケアアルゴリズムは、ＡＣＬＳによって提供される、緊急ケアのハンドブック内にのみ存在する。ＡＣＬＳの緊急ケアのハンドブックは、麻酔科医によって利用される治療室において利用可能であるか、または全く利用可能ではない可能性がある。
【００１３】
いくつかの医療ケアアルゴリズムは、専門科特有であり、臨床環境においてそのようなアルゴリズムを提供するために使用される、均一の編成または提示フォーマットが存在しない。臨床医は、例えば、医師の研修の間に臨床医に提供される危機的ケアアルゴリズムの設計およびフォーマットに精通している可能性があり、臨床医は、主治医として、同一危機的ケアアルゴリズムの異なる設計およびフォーマットが提供される可能性がある。分かりやすく、一貫し、簡潔、明確、容易に利用可能であり、迅速に利用可能であり、かつ均一な信認されたフォーマットにおいて、医療ケアアルゴリズム内に含まれる情報を医師に提供する必要性がある。
【００１４】
本発明は、医療ケアアルゴリズムへの効率的アクセスをもたらすだけではなく、本発明はまた、医療ケアアルゴリズムの全ての側面が、対象を治療するときに検討および承認されることを確実にするためのチェックポイントシステムを提供することができる。いくつかの実施形態では、本発明はさらに、治療を行う医師または治療を行う臨床チームの別のメンバーが、医療ケアアルゴリズムの異なる分岐をナビゲートすることを可能にする、ナビゲーションおよび承認モジュールを備えている。アイコンの選択を用いて、医師、医師アシスタント、看護士、または治療を行う臨床チームの複数の他のメンバーが、ａ）対象を治療する際に選択される方法を確認し、および、ｂ）治療情報を対象に関連付けられた医療記録にアップロードすることができる。例えば、集中治療室（ＩＣＵ）内で緊急医療コードに従事する、医師は、本発明のシステムおよび方法を使用して、危機的ケアコードを治療する際に関連する標準ケア医療アルゴリズムにアクセスすることができる。
【００１５】
本発明は、選択された医療ケアアルゴリズムによって概略される治療の過程に関連付けされる、医療処方箋を効果的かつ正確に記入するために構築された方法をもたらす。いくつかの実施形態では、本発明は、少なくとも１つの薬分注システムへのインターフェースを提供する。インターフェースは、医師が、対象を治療する際に使用される医療ケアアルゴリズムを参照しながら、処方を薬調合機械に提出するためのシステムおよび方法を提供する。薬調合機械は、救急治療室、手術室、医師のオフィス、医院、および他の健康ケア施設において見出され得る。例えば、ＩｎｓｔｙＭｅｄｓＴＭ、およびＰｙｘｉｓｃａｒｅｆｕｓｉｏｎＴＭによって市販のもの等の薬調合機械は、病院環境において偏在的に存在しつつあり、本発明のシステムおよび方法は、処方箋記入の利便性、迅速性、および正確性を大幅に促進する、インターフェースを提供することができる。薬調合機械は、静脈内に投与される医薬品から、経口カプセル、点滴薬、クリームまで及び得る、約１００種類の最も頻繁に使用されるいくつかの薬剤を保持することができる。本発明のシステムおよび方法を用いた処方箋の記入は、緊急健康ケア環境において、実践性および速度を助長する。
【００１６】
いくつかの実施形態では、本発明のシステムおよび方法は、薬局へのインターフェースを提供する。薬調合機械は、複数の一般に処方される薬剤をもたらすことができる。しかしながら、一部の対象は、薬調合機械によってもたらされない処方薬剤を要求し得る。一部の対象は、処方薬剤の使用について、薬剤師に相談することを要求し得る。本発明のインターフェースは、医師が、対象を治療する際に使用される医療ケアアルゴリズムを参照しながら、処方箋を薬局に提出するためのシステムおよび方法を提供する。
【００１７】
本発明のシステムおよび方法は、ａ）ユーザによるＣＰＲまたはショック治療の治療を含む、医療ケアアルゴリズムのナビゲーションを文書化する電子医療記録を提供し、ｂ）薬調合機械または薬局への処方要求の提出を文書化する電子または薬局医療記録を提供し、ｃ）薬調合機械または薬局による処方要求の記入を文書化する電子または薬局医療記録を提供することができる。本発明によって提供される、全電子記録は、電子記録が作成されたときの年、月、日、時、分、および秒を文書化するタイムスタンプを含むことができる。ある場合には、本発明のシステムおよび方法は、別個の電子健康記録システムへのインターフェースとして機能する。
【００１８】
本発明は、医療介護提供者が、医療ケアアルゴリズムの検索ではなく、治療を行う対象にその時間およびエネルギーを集中することを可能にし、同様に、医師が非効果的手段によって医療ケアアルゴリズムを精査するのではなく、健康ケア改善に焦点を当てることを可能にする。したがって、本発明は、ワークフローおよび生産性を改善する。
【００１９】
（医療ケアアルゴリズム）
臨床医は、詳細な複数の、かつ多くの場合、複雑な医療ケアアルゴリズムを記憶し、次いで、思い出すことと対決させられる。医療ケアアルゴリズムは、決定木、フロー図、チャート、図解、概略図、算定数値、公式、プロトコル、リスト、統計調査、計算図表、または表を備えていることができる。医療ケアアルゴリズムは、医療治療とともに使用されることができる。医療ケアアルゴリズムは、医療講義とともに使用されることができる。
【００２０】
医療ケアアルゴリズムは、診断、治療／療法、医療治療のおよび予後ステップを含む、多くの医療環境において適用されることができる。例えば、医療ケアアルゴリズムは、外科手術手技に関する医師の決定を支援するために使用されることができる。医療ケアアルゴリズムは、異なる分岐を備えていることができ、医師は、医療アルゴリズムとともに、本発明のシステムおよび方法によって表示され得る、個人化された対象情報を利用し、どの分岐が対象を治療する際に追求されるべきかを決定することができる。医療ケアアルゴリズムは、対象を治療する際に好ましい標準ケアステップを呼び出し、選択する際、医師を支援する、任意のチャート、図解、表、または概略図を備えていることができる。対象は、例えば、老人、成人、１３歳から１９歳の間の子供、９歳から１２歳の間の子供、小児、幼児、および乳児であることができる。対象は、例えば、危機的ケア、やや危機的ケア、非危機的ケア、緊急ケア、外科手術、または専門科特有のケアを必要とする個人であることができる。対象は、患者であることができる。
【００２１】
医療ケアアルゴリズムは、コンピュータシステム上において、ユーザによってアクセスされることができる。医療ケアアルゴリズムは、例えば、タッチスクリーンの産物として表示されることができる。本発明のシステムおよび方法は、タッチスクリーンインターフェース上に、少なくとも１つアルゴリズムまたは群を表示することができる。タッチスクリーンインターフェースは、ケア送達現場において、容易にアクセスされ、使用が単純であり、かつアルゴリズムのリアルタイム適用に焦点が当てられることができる。医療ケアアルゴリズムは、１つまたは複数の選択可能アイコンに関連付けられることができる。ユーザによる選択可能アイコンのうちの少なくとも１つの選択は、コンピュータシステムに、ユーザが選択可能アイコンを選択したことをアラートし、それに応じて、コンピュータシステムは、選択された選択可能アイコンに関連付けられた医療ケアアルゴリズムに関して、医療アルゴリズムデータベースを検索し、選択された医療ケアアルゴリズムを提供し、コンピュータシステムは、プロセッサを備え、検索は、プロセッサによって行われる。本発明のシステムおよび方法は、選択された医療ケアアルゴリズムの少なくとも一部を、例えば、タッチスクリーンデバイス上に表示することができる。
【００２２】
複数のユーザは、本発明のシステムおよび方法を使用して、医療ケアアルゴリズムにアクセスすることができる。ユーザは、例えば、医療介護提供者であることができる。医療介護提供者は、例えば、医師であることができる。いくつかの実施形態では、ユーザは、対象に付き添う医療介護提供者である。本発明のユーザであり得る、医師および医療介護提供者の非限定的実施例として、麻酔科医、肥満外科手専門医、輸血学専門医、心臓電気生理学医、心臓外科医、心臓病専門医、認定看護アシスタント、臨床心臓電気生理学専門医、臨床神経生理学専門医、臨床専門看護師、結腸直腸外科医、救命救急医学専門医、救命救急外科手術専門医、歯科衛生士、歯科医、皮膚科医、緊急医療技術者、救急医学医師、胃腸外科医、血液専門医、ホスピスケアおよび緩和医療専門医、ホメオパシー専門医、感染症専門医、内科医、顎顔面外科医、医療アシスタント、医療審査官、臨床遺伝専門医、腫瘍内科医、助産婦、新生児学・周産期専門医、腎臓専門医、神経科医、神経外科医、核医療専門医、看護士、診療看護師、産科医、腫瘍学専門医、口腔外科医、歯科矯正医、整形外科専門医、疼痛管理専門医、病理医、小児科医、潅流技師、歯周病専門医、成形外科医、足病医、肛門病専門医、義肢専門医、精神病医、呼吸器科医、放射線科医、外科医、胸部専門医、移植専門医、血管専門医、血管外科医、および獣医が挙げられる。医療ケアアルゴリズムは、同時に、複数のユーザによって閲覧され得る。
【００２３】
医療ケアアルゴリズムは、ａ）アナフィラキシー、ｂ）挿管困難、ｃ）上心室性頻拍、ｄ）心停止、ｅ）悪性高熱症、ｆ）低血圧ショック、またはａ）大量輸血の管理等、危機的ケアアルゴリズムを備えていることができる。対象の状態における切迫したまたは生命を脅かす悪化の確率が高い、１つ以上の生命に関わる器官系を急性的に損なわせる、危機的病気または傷害に苦しむ対象は、危機的ケア対象と見なされ得る。危機的ケア対象の治療は、複雑な対象査定、対象操作、および対象の状態のさらなる生命を脅かす悪化を防止するための介入を伴い得る。生命に関わる器官系不全の非限定的実施例として、中枢神経系不全、循環不全、ショック、腎臓、肝臓、代謝、および／または呼吸が挙げられる。本発明のユーザは、複数の危機的ケアアルゴリズムにアクセスすることができる。本発明のユーザは、危機的ケアアルゴリズムを選択することができ、本発明のユーザは、医療ケアアルゴリズム内に含まれる治療推奨を対象の治療に適用することができる。いくつかの実施形態では、本発明のユーザは、緊急健康ケアサービスを対象に提供することができる。いくつかの実施形態では、ユーザによって選択され、本発明によって提供される、医療ケアアルゴリズムは、外科手術手技を行うためのアルゴリズムを備えている。いくつかの実施形態では、本発明のシステムおよび方法は、危機的ケアアルゴリズムを備えている、医療ケアアルゴリズムを提供する。
【００２４】
医療ケアアルゴリズムは、ａ）肺塞栓症、ｂ）気胸、ｃ）ＣＶＡ、ｄ）ＡＣＳ、ｅ）局所麻酔剤毒性、ｆ）低酸素症、ｇ）ＯＢ中の高局所ブロック、およびｈ）気管支痙攣等のやや危機的ケアアルゴリズムを備えていることができる。複数の臨床症例が、やや危機的ケア症例として解釈され得る。手技を受ける対象が、例えば、危機的または安定状態にあると見なされる場合でも、複数の手技がやや危機的ケア手技と見なされ得る。やや危機的ケア手技と見なされ得、かつやや危機的ケアアルゴリズムによって支援され得る一般的手技は、例えば、局所麻酔剤毒性の治療および選択的電気同期性通電を含む。いくつかの実施形態では、本発明のシステムは、医療ケアアルゴリズムとともに、関連医療媒体を表示することができる。例えば、気管内挿管の間に使用されるビデオ喉頭鏡からのライブビデオが、気管内挿管を備えている、医療ケアアルゴリズムとともに表示されることができる。ビデオ喉頭鏡からのライブビデオは、関連心臓不整脈のリアルタイム実施例を表示することができる。いくつかの実施形態では、本発明のシステムおよび方法は、やや危機的ケアアルゴリズムを備えている、医療ケアアルゴリズムを提供する。
【００２５】
医療ケアアルゴリズムは、小児の二次救命処置（ＰＡＬＳ）ケアアルゴリズムを備えていることができる。子供の管理は、多くの場合、年齢および体重特有のプロトコルに伴って、異なる医療ケアアルゴリズムを要求する。例えば、乳児の呼吸率は、１分あたり約３０〜約６０呼吸数（呼吸数／分）、幼児では、約２４〜約４０呼吸数／分、未就学児童では、約２２〜約３４呼吸数／分、就学児童では、約１８〜約３０呼吸数／分、および１３歳から１９歳までの子供では、約１２〜約１６呼吸数／分の範囲に及び得る。新生児〜３ヶ月齢の赤ちゃんの睡眠時心拍数は、１分あたり約８０〜約１６０泊数（拍数／分）、３ヶ月〜２歳児では、約７５〜約１６０拍数／分、２歳〜１０歳児では、約６０〜約９０拍数／分に及び得、より年齢の高い子供の睡眠時心拍数は、約５０〜約９０拍数／分に及び得る。小児科患者の管理を促進するために、本発明の医療ケアアルゴリズムは、ＰＡＬＳ特有のアルゴリズムを提供することができる。小児科アルゴリズムは、例えば、新生児蘇生アルゴリズム、ＰＡＬＳ心停止アルゴリズム、ＰＡＬＳ徐脈アルゴリズム、ＰＡＬＳ頻脈アルゴリズム、および小児科ＢＬＳアルゴリズムを含むことができる。
【００２６】
医療ケアアルゴリズムは、非危機的ケアアルゴリズムを備えていることができる。複数の臨床症例が、非危機的ケア症例として解釈され得る。手技は、例えば、危機的または安定状態にあると見なされる場合でも、複数の手技が、非危機的ケア手技として解釈され得る。非危機的ケア手技と見なされ得、かつ非危機的ケアアルゴリズムによって支援され得る、一般的手技は、例えば、透析、高血糖症、骨密度走査、感染症の治療、頭痛治療、および心臓病に関するストレス試験を含む。例えば、入院対象における高血糖症の管理は、非危機的と見なされ得る。高血糖性対象は、糖尿病対象であり得、その治療は、事前に確立されたインスリン送達アルゴリズムによって統制されている。本発明のユーザは、本発明のシステムを適用し、入院高血糖性糖尿病対象の治療のための推奨とともに、標準ケアアルゴリズムをナビゲートすることができる。本発明のユーザは、例えば、選択可能アイコンを選択することによって、アルゴリズムの少なくとも１つの表示される部分内に含まれ、例えば、対象の年齢、体重、または性別に対して個人化された、例えば、インスリンの個人化された推奨される投薬量を読み取り、それを承認することができる。
【００２７】
医療ケアアルゴリズムは、専門科または施設特有のアルゴリズムを備えていることができる。専門科特有のアルゴリズムは、医学分野または下位分野に特有であることができる。専門科特有の医療ケアアルゴリズムは、例えば、麻酔、心臓学、内分泌学、消化器病学、血液学、肝臓学、腎臓学、神経学、産科学、および複数の外科手術アルゴリズムを備えていることができる。例えば、腎臓専門医は、血液透析を受ける対象を治療することができる。腎臓専門医は、本発明のユーザであることができる。腎臓専門医は、血液透析を受ける入院対象を治療する際の標準ケアを説明する、専門科特有の医療ケアアルゴリズムにアクセスすることができる。腎臓専門医は、血液透析医療ケアアルゴリズムをナビゲートすることができ、腎臓専門医は、選択可能アイコンを選択することによって、専門科特有のアルゴリズムをナビゲートする間に行われた治療決定を対象に関連付けられた電子医療記録に組み込むことができる。いくつかの実施形態では、ユーザは、治療アルゴリズムのナビゲートをアップロードすることができる。本カテゴリはまた、カラーコードリスト等の施設ベースの情報を含むことができる。
【００２８】
本発明のシステムはまた、一般的実践基準、施設、および手技ベースのプロトコルへのアクセスを提供することができる。一般的実践基準、施設、および手技ベースのプロトコルの実施例は、ａ）一次救命処置（ＢＬＳ）精査、ｂ）不整脈の精査、ｃ）緊急カートナビゲーション情報、ｄ）プロトコルの参照、ｅ）悪性高熱症カートナビゲーション情報、ｆ）医療の質・安全学会（ＷＨＯ）外科手術安全性チェックリストおよび実装マニュアル、手術室火災防止アルゴリズム、およびｇ）コードシートを含む。
【００２９】
医療ケアアルゴリズムは、対象に関連付けられた少なくとも１つのパラメータに基づいて、対象に合わせてカスタマイズされることができる。対象に関連付けられた複数のパラメータは、医療ケアアルゴリズムを対象に合わせてカスタマイズするために使用されることができる。例えば、対象の体重が、医療ケアアルゴリズムにおいて、状態に関する治療の過程として推奨される医薬品の投薬量をカスタマイズするために使用されることができる。薬剤に対するアレルギー反応の履歴等、対象の医療履歴が、対象の医療ケアアルゴリズムをカスタマイズするために使用されることができる。
【００３０】
本発明のシステムは、例えば、救急処置室、手術室、病院緊急カート、または救急車から医療ケアアルゴリズムにアクセスするために使用されることができる。いくつかの実施形態では、本発明のシステムは、ダウンロード可能アプリケーションであり、本発明のシステムは、病院等の健康ケア施設によって所有されるコンピュータシステムにダウンロードされることができる、または本発明のシステムは、医療介護提供者によって所有されるコンピュータシステムにダウンロードされることができる。アプリのコピーが、ダウンロードされ、続いて、施設によって動作させられる複数のデバイス上に配置され得る。
【００３１】
（本発明のシステム）
本発明は、直感的、実際的、かつ容易にナビゲート可能フォーマットにおいて提示される、１つまたは複数の医療ケア治療アルゴリズムを提供する。ユーザは、コンピュータシステムから本発明にアクセスすることができ、ユーザは、ディスプレイ内に本発明のホームアイコン図１の１０１を可視化することができる。本発明のホームアイコンは、ユーザに、１つまたは複数の選択可能アイコンにアクセスするための選択肢を提示することができる。選択可能アイコンの選択は、アルゴリズムをナビゲートするための方法として使用されることができる。本発明のホームアイコンは、例えば、危機的１０２、やや危機的１０３、および小児の二次救命処置（ＰＡＬＳ）１０４の医療ケアアルゴリズムを備えていることができる。本発明のホームアイコンはまた、健康ケアにおける一般的実践基準および施設ベースのプロトコル１０５へのアクセスをもたらすことができる。いくつかの実施形態では、本発明の選択可能アイコンは、タッチスクリーンアイコンであることができる。
【００３２】
ユーザによって医療ケアアルゴリズムをナビゲートするプロセスは、ユーザがコンピュータシステム（図２）から本発明のシステムにアクセスしたときに開始することができる。ユーザは、選択可能アイコンを選択することによって、本発明のシステムにアクセスすることができる２０１。選択可能アイコンの選択は、例えば、クリック可能アイコンをクリックすること、アイコンをドラッグアンドドロップすること、選択可能アイコンをスライドさせること、またはコマンドに対するアイコンの音声認識によって、行われることができる。ユーザは、例えば、１つまたは複数の選択可能アイコンを選択することによって、本発明のシステムをナビゲートすることができる。
【００３３】
ユーザは、選択可能アイコンを選択することによって、アルゴリズム群、例えば、危機的ケアアルゴリズム群を選択することができる２０２。ユーザは、選択可能アイコンを選択することによって、危機的ケアアルゴリズム群内のアルゴリズム、例えば、低酸素症アルゴリズムを選択することができる２０３。本発明のシステムは、医療ケアアルゴリズムにアクセスするために、健康ケア実施者によって提出される要求を受信することができ、本発明のシステムは、ディスプレイ内に医療ケアアルゴリズムの少なくとも一部を表示することができる。ユーザは、アルゴリズムを説明する１つまたは複数の選択可能アイコンを選択することによって、低酸素症アルゴリズムをナビゲートすることができる２０４。いくつかの実施形態では、ユーザが本発明の選択可能アイコンを選択すると、医療ケアアルゴリズムの少なくとも１つのステップが、医療記録内に記録される。
【００３４】
各ステップがスキップされず完了されることを保証し、プロセスの文書を提供するために、チェックオフまたは承認機能が、次のステップに進むために要求されることができる。例えば、医療ケアアルゴリズムに関連付けられたアイコンの選択は、チェックオフ機能であることができ、アイコンを選択することは、識別された医療ケアアルゴリズムを通して対象の経過を追跡することができる。医療ケアアルゴリズムに関連付けられたアイコンを選択することは、コンピュータシステムによって、電子医療記録内に記録されることができる。ユーザは、医師２０５であることができ、ユーザは、ユーザが本発明の選択可能アイコンを選択すると、医療ケアアルゴリズムの少なくとも１つのステップを医療記録内に記録することができる。加えて、本発明のシステムは対象の体重および薬物履歴等の個人化された対象パラメータに基づいて、対象に処方されるべき、医薬品処方の投薬量を決定することができる。ユーザは、本発明のシステム２０６を使用して、処方の要求を提出することができる。
【００３５】
本発明のシステムは、臨床手技に対する可聴ガイダンスを提供することができる。いくつかの実施形態では、本発明のシステムは、医療ケアアルゴリズムの可聴ステップを読み上げることができる。本発明のシステムは、例えば、自然言語ユーザインターフェースを使用して、臨床医からの口頭コマンドを認識する音声認識モジュールを備えていることができる。臨床医は、コマンドを発話することによって、本発明の医療ケアアルゴリズムをナビゲートすることができ、本発明のシステムは、口頭コマンドを認識することができる。いくつかの実施形態では、臨床医は、口頭コマンドを用いて、医療ケアアルゴリズムのステップを行うことを承認することができる。システムは、心肺蘇生のために要求されるような胸部圧迫または人工呼吸のペースを可聴的にカウントすることができる。
【００３６】
本発明のシステムは、視覚的ガイダンスを臨床手技に提供することができる。本発明の医療ケアアルゴリズムは、例えば、対象の心拍を表示するメトロノームを伴うことができる。本発明の医療ケアアルゴリズムは、例えば、規定された手技を受ける対象の代表的画像を伴うことができる。例えば、困難な挿管手技を行っている臨床医は、本発明のシステムを使用して、挿管プロトコルの写真またはビデオを可視化することができる。Ｍｏｄｉｆｉｅｄ  Ｇｌａｓｇｏｗ  Ｃｏｍａ  Ｓｃａｌｅに基づいて、子供の最良運動応答を決定する臨床医は、類似スケールに基づいてスコア化される運動応答の範囲とともに、子供の基準画像またはビデオを可視化することが有用であることを見出すことができる。臨床医は、説明される治療の代表的画像で補足される、本発明の医療ケアアルゴリズムをナビゲートすることができる。
【００３７】
本発明のシステムは、手術室、救急処置室、または病院の緊急カートからアクセスされることができる。本発明のシステムはまた、対象のケアにおいて講じられる措置、処方される薬剤、および／または投与される薬剤の文書を提供することができる。本発明のシステムは、電子医療記録または薬局医療記録とインターフェースをとり、治療の記録を提供することができる。本システムは、承認された事象の電子健康記録（ＥＨＲ）を提供することができる。
【００３８】
本発明のシステムによって提供される電子健康記録は、例えば、医療治療コードで注記されることができる。医療治療コードは、ＩＣＤ（国際疾病分類）コード、ＣＰＴ（医師診療行為用語）コード、全米医薬品（ＮＤＣ）コード、ＤＳＭ−ＩＶ−ＴＲコード等の精神病コード、診断別分類（ＤＲＧ）コード、ＩＣＦ（国際生活機能分類）コード等の身体障害コード、ＨＣＰＣＳ（保険請求に使用する医療行為・サービスのコード集）コード、メディケア特有のコード、メディケイド特有のコード、あるいは保険特有のコードまたは病院特有のコード等、群または病院に特有のコードを含むことができる。本発明のシステムは、例えば、処方箋を電子的に薬局に伝送し、処方された薬剤をＩＣＤコード、ＮＤＣコード、または両方に関連付けることができる。
【００３９】
（電子健康記録（ＥＨＲ）へのインターフェース）
本発明は、医療ケアアルゴリズムをユーザに提供するためのシステムおよび方法に関する。ユーザは、医療介護提供者であることができる。医療介護提供者は、例えば、外科医であることができる。外科医は、コンピュータシステム上の、対象の治療に関連する医療ケアアルゴリズムにアクセスすることができ、外科医は、外科医が、医療ケアアルゴリズムを読み取ること、それを承認すること、および、それをナビゲートする場合、複数の選択可能アイコンを選択することができる。
【００４０】
外科医は、危機的ケア、やや危機的ケア、および非危機的ケア対象に対処することができる。外科医は、危機的ケア、やや危機的ケア、および非危機的医療ケアアルゴリズムをナビゲートし、対象のケアを支援することができる。外科医は、ある分野の専門医であることができ、例えば、外科医は、心臓外科医または神経外科医であることができる。外科医は、心血管外科手術ベース等の専門科特有のアルゴリズムをナビゲートし、対象のケアを支援することができる。
【００４１】
いくつかの実施形態では、医療ケアアルゴリズム管理システムはさらに、ユーザが選択された医療ケアアルゴリズムをナビゲートする間、医療情報を電子医療記録内に組み込むための方法を提供する。例えば、ユーザは、コンピュータシステム上の少なくとも１つの選択可能アイコンを選択することによって、対象に関連付けられた医療ケアアルゴリズムをナビゲートすることができ、コンピュータシステムは、プロセスの電子医療記録を提供することができる。ユーザは、対象の主治医であることができ、本発明のシステムおよび方法は、医師によってナビゲートされた危機的ケアアルゴリズムのステップを対象に関連付けられた医療記録に関連付けることができる。医師が、選択されたアルゴリズム内の選択可能アイコンのうちの少なくとも１つを選択することによって、アルゴリズムをナビゲートするにつれて、ＥＨＲ記録が、生成および提供されることができる。いくつかの実施形態では、経過が、ユーザが本発明によって提供されるアルゴリズムをナビゲートするにつれて、電子医療記録内に記録される。ＥＨＲは、本発明のソフトウェアと同一コンピュータシステムまたは別のコンピュータ上にホストされることができる。
【００４２】
電子医療記録は、対象の医療情報を説明する、１つの文書または文書の編集を備えていることができる。電子医療記録は、ある期間にわたる完全医療履歴および対象のケアを備えていることができるか、または、電子医療記録は、対象の医療履歴における単一事象を備えていることができる。電子医療記録は、主要および軽微疾患、外科手術履歴、産科履歴、薬剤および医療アレルギー、家族履歴、社会履歴、習慣、免疫感作履歴、成長および発展履歴を説明することができる。
【００４３】
対象の電子医療記録は、誕生以来対象に起こったことの医療履歴に言及することができる。例えば、医療履歴は、疾患、主要および軽微な病気、および／または成長上の顕著な出来事の記録であることができる。電子医療記録は、主病状、本病気の履歴、物理的検査、臨床症例の査定、および状態を治療するために提案された措置過程を説明することができる。
【００４４】
対象の電子医療記録は、外科手術履歴を備えていることができる。外科手術履歴は、対象に行われた外科手術、例えば、手術日、手術報告、および／または外科医が行わったことの詳細な説明を説明することができる。いくつかの実施形態では、本発明は、医療ケアアルゴリズムをユーザに提供するためのシステムおよび方法を備え、医療ケアアルゴリズムは、外科手術手技を備えている。
【００４５】
薬局医療記録（ＰＭＲ）は、対象の薬理学的履歴に関わる記録に関することができる。薬局医療記録は、電子的に提供されることができる。対象の薬理学的履歴は、対象の処方履歴、現在の処方投薬計画、および副作用情報、例えば、投薬量情報、対象が処方箋に従って服用している時間長、および対象の現在の処方投薬計画を用いて負の副作用を生じさせることが分かっている他の薬物を備えていることができる。
【００４６】
いくつかの実施形態では、本発明のシステムは、エンコードされたコンピュータ実行可能コードを有するコンピュータ読み取り可能な媒体を備えているコンピュータプログラム製品を備え、コンピュータ実行可能コードは、医療ケアアルゴリズムをユーザに提供する方法製品を実装ために実行されるように適合され、方法は、医療ケアアルゴリズム管理システムを提供することであって、医療ケアアルゴリズム管理システムは、ディスプレイモジュール、検出モジュール、検索モジュール、および出力モジュールを備えている、ことを含む。いくつかの実施形態では、システムはさらに、医薬品調合機械へのインターフェースを提供する。いくつかの実施形態では、システムはさらに、薬局へのインターフェースを提供する。いくつかの実施形態では、システムは、薬調合機械または薬局とインターフェースをとることによって、薬局医療記録を提供することができる。
【００４７】
本発明のシステム、ＥＨＲシステム、および薬調合機械間の通信は、例えば、有線、Ｗｉ−Ｆｉ、Ｂｌｕｅｔｏｏｔｈ（登録商標）、ユーザデータグラムプロトコル（ＵＤＰ）、リアルタイムストリーミングプロトコル（ＲＴＳＰ）、リアルタイムトランスポートプロトコル（ＲＴＰ）、リアルタイムトランスポート制御プロトコル（ＲＴＣＰ）、適応ビットレートストリーミング、伝送制御プロトコル（ＴＣＰ）、およびＩＥＥＥ準拠プロトコルを含む、複数の通信プロトコルに従って発生することができる。いくつかの実施形態では、医療介護提供者は、本発明のシステムを使用して、処方要求を薬調合機械に提出することができる。いくつかの実施形態では、本発明のシステムおよび薬調合機械は、同一ハードウェアプラットフォームを共有することができる。
【００４８】
本発明のシステムおよび方法は、対象への医薬品または治療介入の投与および送達を文書化することができる。本発明によって提供される医療記録は、タイムスタンプに関連付けられることができる。タイムスタンプは、医薬品または治療介入が対象に投与された年、月、日、時、分、秒を示すことができる。タイムスタンプは、対象の治療に関連する商標名、一般名、投薬量、および投与される治療投薬計画を示すことができる。
【００４９】
いくつかの実施形態では、医療ケアアルゴリズム管理システムはさらに、ナビゲーションモジュールを備え、ナビゲーションモジュールは、認識および／または承認アイコンを備え、ナビゲーションモジュールはさらに、承認アイコンが選択されたことを検出する後続ステップを表示する。いくつかの実施形態では、承認アイコンの選択は、対象の治療の完了に関連付けられた電子医療記録を提供することができる。いくつかの実施形態では、承認アイコンの選択は、ユーザがアルゴリズムにアクセスしたことを示す、電子医療記録を提供することができる。
【００５０】
電子医療記録（ＥＭＲ）は、対象が患者である、対象の医師、臨床医、保険会社、病院、および／または他の施設によって得られ、記憶される、記録に関することができる。いくつかの実施形態では、医療介護提供者は、医師、歯科医、検眼医、療法士、カイロプラクタ、および健康ケアサービスを対象に提供する任意の者を含むことができる。電子医療記録（ＥＭＲ）は、例えば、ＣＡＴ走査、ＭＲＩ、超音波、血糖値、診断、アレルギー、実験試験結果、ＥＫＧ、薬剤、毎日のカルテ記入、薬剤投与、物理的査定、入院時看護診療記録、看護ケア計画、診療情報提供書、現在および過去の症状、医療履歴、生活様式、物理的検査結果、試験、手技、治療、薬剤、退院、履歴、日誌、問題、所見、免疫感作、入院時診療記録、現在の医療サービス記録、経過記録、術前記録、手術記録、術後記録、手技記録、引き渡し記録、および退院記録を備えていることができる。
【００５１】
本発明のシステムまたは方法によって提供される医療記録は、自己充足型または自立型電子医療記録として機能することができる。本発明のシステムおよび方法によって提供される医療記録は、市販の電子医療記録システムと適合性があり、容易にインターフェースがとられることができる。本発明のシステムまたは方法によって提供される医療記録は、対象の既存の電子医療記録または非電子医療記録と統合されることができる。
【００５２】
いくつかの実施形態では、医療記録の専門家精査のデータ配信は、医療保険の相互運用性と説明責任に関する法令（ＨＩＰＡＡ）基準に準拠する。
【００５３】
本発明のシステムおよび方法は、医療ケアアルゴリズム管理システムを提供し、医療ケアアルゴリズム管理システムは、ディスプレイモジュールと、検出モジュールと、検索モジュールと、出力モジュールとを備えている。モジュールは、少なくとも１つの識別された危機的ケアアルゴリズム、やや危機的ケアアルゴリズム、非危機的ケアアルゴリズム、または専門科特有のアルゴリズムを表示、検出、検索、および出力することができる。いくつかの実施形態では、アルゴリズムは、分岐されたアルゴリズムであることができる。本発明のシステムおよび方法は、複数の分岐アイコンを表示することができ、各分岐アイコンは、独立して、識別された医療ケアアルゴリズムの異なる分岐に関連付けられる。
【００５４】
対象の電子医療記録に関連付けられた医療媒体は、本発明によって識別される医療ケアアルゴリズムとともに表示されることができる。主治医、専門医、看護士、および専門医学実習生を含む、医療介護提供者は、医療ケアアルゴリズムとともに、本発明のシステムによって表示される医療媒体へのアクセスを有することができる。対象の医療記録に関連付けられた個人化された医療情報もまた、本発明によって識別された医療ケアアルゴリズムとともに表示されることができる。いくつかの実施形態では、医療ケアアルゴリズムは、対象に関連付けられた個々のパラメータに基づいて、カスタマイズされる。いくつかの実施形態では、治療される対象に関連付けられたパラメータは、治療される対象の体重を備えている。いくつかの実施形態では、治療される対象に関連付けられたパラメータは、治療される対象の年齢を備えている。いくつかの実施形態では、治療される対象に関連付けられたパラメータは、治療される対象の性別を備えている。
【００５５】
いくつかの実施形態では、本発明は、医療介護提供者による対象の治療を支援するために、医療ケアアルゴリズム内の推奨にアクセスするためのシステムおよび方法を備えている。いくつかの実施形態では、医療ケアアルゴリズムはさらに、医療撮像モジュールを備えている。医療撮像モジュールは、例えば、医師、看護士、および専門医の、対象の医療記録に関連付けられた医療画像へのリアルタイムでのアクセスを提供することができる。医療媒体モジュール内の医療媒体は、医療媒体の既存の読み取りまたは解釈を詳述する、少なくとも１つのテキスト説明に関連付けられることができる。医療画像は、医療媒体の任意の以前の読み取りまたは解釈から派生されることができる。医療媒体は、例えば、危機的ケア、医療手技、または外科手術技法における対象の心電図のリアルタイム媒体可視化であることができる。
【００５６】
いくつかの実施形態では、システムはさらに、記録モジュールへのインターフェースを提供する。いくつかの実施形態では、記録モジュールは、対象を治療するときにユーザが医療ケアアルゴリズムをナビゲートしたことを示す、電子医療記録を提供する。システムのユーザは、例えば、治療される対象に関連付けられた少なくとも１つのパラメータを記録モジュール内に記録することができる。いくつかの実施形態では、本発明のユーザは、治療される対象に関連付けられた記録された少なくとも１つのパラメータに基づいて、処方要求を薬調合機械に提出することができる。いくつかの実施形態では、本発明のユーザは、治療される対象に関連付けられた記録されたパラメータに基づいて、処方要求を薬局に提出することができる。本発明のシステムは、例えば、タイムスタンプを要求に関連付けることができる。
【００５７】
これは、ひいては、Ｅｎｔｅｒｐｒｉｓｅ  Ｓｙｓｔｅｍとしても知られる、より大きい電子健康記録システムとインターフェースがとられ得る。事象から生成されるデータは、２つのシステム間で共有され得る。
【００５８】
（治療介入）
本発明は、医療ケアアルゴリズムにアクセスし、それを読み出し、カスタマイズし、記録し、ナビゲートするためのシステムおよび方法を提供する。いくつかの実施形態では、本発明は、対象のための治療介入を命令するシステムおよび方法を提供する。いくつかの実施形態では、提案される治療介入は、対象に関連付けられた特定のパラメータに合わせてカスタマイズされる。例えば、治療介入の投薬量は、対象の体重に合わせてカスタマイズされることができる。薬剤のタイプ、例えば、小児科または成人薬剤が、対象の年齢に合わせてカスタマイズされることができる。ある介入、例えば、エストロゲンまたはテストステロン投与を処方する介入が、対象の性別に合わせてカスタマイズされることができる。
【００５９】
治療介入は、例えば、対象への医薬品の投与であることができる。治療介入は、例えば、外科手術に先立った抗生物質の予防投与等、手技における防止ステップであることができる。治療介入は、例えば、心臓病を患う患者へのβ遮断薬の投与等、介入における改善ステップであることができる。治療介入は、医療ケアアルゴリズムのナビゲーションと併せて、対象に提案されることができる。例えば、治療介入は、ＣＰＲまたはショック電気療法であることができる。
【００６０】
（コンピュータアーキテクチャ）
種々のコンピュータアーキテクチャは、本発明とともに使用するために好適である。図３は、本発明の例示的実施形態に関連して使用することができる、コンピュータシステム３００の第１の例示的アーキテクチャを図示する、ブロック図である。図３で描写されるように、例示的コンピュータシステムは、命令を処理するためのプロセッサ３０２を含むことができる。プロセッサの非限定的実施例は、Ｉｎｔｅｌ  Ｃｏｒｅ  ｉ７ＴＭプロセッサ、Ｉｎｔｅｌ  Ｃｏｒｅ  ｉ５ＴＭプロセッサ、Ｉｎｔｅｌ  Ｃｏｒｅ  ｉ３ＴＭプロセッサ、Ｉｎｔｅｌ  ＸｅｏｎＴＭプロセッサ、ＡＭＤ  ＯｐｔｅｒｏｎＴＭプロセッサ、Ｓａｍｓｕｎｇ  ３２ビットＲＩＳＣ  ＡＲＭ  １１７６ＪＺ（Ｆ）−Ｓ  ｖ１．０ＴＭプロセッサ、ＡＲＭ  Ｃｏｒｔｅｘ−Ａ８  Ｓａｍｓｕｎｇ  Ｓ５ＰＣ１００ＴＭプロセッサ、ＡＲＭ  Ｃｏｒｔｅｘ−Ａ８  Ａｐｐｌｅ  Ａ４ＴＭプロセッサ、Ｍａｒｖｅｌｌ  ＰＸＡ  ９３０ＴＭプロセッサ、または機能的に同等のプロセッサを含む。複数の実行のスレッドを並列処理に使用することができる。いくつかの実施形態では、単一のコンピュータシステム内であろうと、クラスタ内であろうと、または複数のコンピュータ、携帯電話、および／または携帯用情報端末を備えているネットワークを経由してシステムにわたって分配されようと、複数のプロセッサ、または複数のコアを伴うプロセッサを使用することができる。
【００６１】
図３で図示されるように、プロセッサ３０２によって最近使用された、または頻繁に使用される、命令またはデータのための高速メモリを提供するように、高速キャッシュ３０１を、プロセッサ３０２に接続するか、またはそれに組み込むことができる。プロセッサ３０２は、プロセッサバス３０５によって、ノースブリッジ３０６に接続される。ノースブリッジ３０６は、メモリバス３０４によってランダムアクセスメモリ（ＲＡＭ）３０３に接続され、プロセッサ３０２によるＲＡＭ３０３へのアクセスを管理する。ノースブリッジ３０６はまた、チップセットバス３０７によってサウスブリッジ３０８に接続される。サウスブリッジ３０８は、順に、周辺機器用バス３０９に接続される。周辺機器用バスは、例えば、ＰＣＩ、ＰＣＩ−Ｘ、ＰＣＩ  Ｅｘｐｒｅｓｓ、または他の周辺機器用バスであり得る。ノースブリッジおよびサウスブリッジは、多くの場合、プロセッサチップセットと称され、プロセッサ、ＲＡＭ、および周辺機器用バス３０９上の周辺構成要素間のデータ転送を管理する。いくつかのアーキテクチャでは、別個のノースブリッジチップを使用する代わりに、ノースブリッジの機能性をプロセッサに組み込むことができる。
【００６２】
いくつかの実施形態では、システム３００は、周辺機器用バス３０９に取り付けられたアクセラレータカード３１２を含むことができる。アクセラレータは、フィールドプログラマブルゲートアレイ（ＦＰＧＡ）、またはある処理を加速するための他のハードウェアを含むことができる。
【００６３】
ソフトウェアおよびデータは、外部記憶装置３１３に記憶され、プロセッサによる使用のために、ＲＡＭ３０３および／またはキャッシュ３０１にロードすることができる。システム３００は、システムリソースを管理するためのオペレーティングシステムを含み、オペレーティングシステムの非限定的実施例は、Ｌｉｎｕｘ（登録商標）、Ｗｉｎｄｏｗｓ（登録商標）、ＭＡＣＯＳＴＭ、ＢｌａｃｋＢｅｒｒｙ  ＯＳＴＭ、ｉＯＳＴＭ、Ｇｏｏｇｌｅ  Ｊｅｌｌｙ  Ｂｅａｎおよび他の機能的に同等なオペレーティングシステム、ならびにオペレーティングシステムの上で作動するアプリケーションソフトウェアを含む。
【００６４】
本実施例では、システム３００はまた、ネットワークアタッチトストレージ（ＮＡＳ）および分散型並列処理に使用することができる他のコンピュータシステム等の外部記憶装置にネットワークインターフェースを提供するための周辺機器用バスに接続されたネットワークインタフェースカード（ＮＩＣ）３１０および３１１も含む。
【００６５】
図４は、複数のコンピュータシステム４０２ａおよび４０２ｂ、複数の携帯電話および携帯用情報端末４０２ｃ、ならびにネットワークアタッチトストレージ（ＮＡＳ）４０１ａおよび４０１ｂとともに、ネットワーク４００を示す略図である。いくつかの実施形態では、システム４０２ａ、４０２ｂ、および４０２ｃは、データ記憶を管理し、ネットワークアタッチトストレージ（ＮＡＳ）４０１ａおよび４０２ｂに記憶されたデータのためにデータアクセスを最適化することができる。数学的モデルをデータに使用し、コンピュータシステム４０２ａおよび４０２ｂ、ならびに携帯電話および携帯用情報端末システム４０２ｃにわたって分散型並列処理を使用して評価することができる。コンピュータシステム４０２ａおよび４０２ｂ、ならびに携帯電話および携帯用情報端末システム４０２ｃはまた、ネットワークアタッチトストレージ（ＮＡＳ）４０１ａおよび４０１ｂに記憶されたデータの適応データ再構成のための並列処理を提供することもできる。図４は、実施例のみを図示し、多種多様の他のコンピュータアーキテクチャおよびシステムを、本発明の種々の実施形態と併せて使用することができる。例えば、並列処理を提供するために、ブレードサーバを使用することができる。並列処理を提供するように、バックプレーンを通してプロセッサブレードを接続することができる。記憶装置もまた、バックプレーンに、または別個のネットワークインターフェースを通してネットワークアタッチトストレージ（ＮＡＳ）として接続することができる。
【００６６】
いくつかの実施形態では、プロセッサは、別個のメモリ空間を維持し、他のプロセッサによる並列処理のために、ネットワークインターフェース、バックプレーン、または他のコネクタを通してデータを伝送することができる。いくつかの実施形態では、プロセッサのうちのいくつかまたは全ては、共有仮想アドレスメモリ空間を使用することができる。
【００６７】
図５は、共有仮想アドレスメモリ空間を使用する、マルチプロセッサコンピュータシステムのブロック図である。本システムは、共有メモリサブシステム５０２にアクセスすることができる、複数のプロセッサ５０１ａ−ｆを含む。本システムは、複数のプログラマブルハードウェアメモリアルゴリズムプロセッサ（ＭＡＰ）５０３ａ−ｆをメモリサブシステム５０２に組み込む。各ＭＡＰ５０３ａ−ｆは、メモリ５０４ａ−ｆと、１つ以上のフィールドプログラマブルゲートアレイ（ＦＰＧＡ）５０５ａ−ｆとを備えていることができる。ＭＡＰは、構成可能な機能ユニットを提供し、特定のアルゴリズムまたはアルゴリズムの部分を、それぞれのプロセッサと密接に協調して処理するためにＦＰＧＡ５０５ａ−ｆに提供することができる。本実施例では、各ＭＡＰは、これらの目的でプロセッサの全てによって大域的にアクセス可能である。１つの構成では、各ＭＡＰは、関連メモリ５０４ａ−ｆにアクセスするためにダイレクトメモリアクセス（ＤＭＡ）を使用することができ、それぞれのマイクロプロセッサ５０１ａ−ｆから独立し、かつそれらとは非同期的に、タスクを実行することを可能にする。この構成では、ＭＡＰは、アルゴリズムのパイプライン化および並列実行のために、結果を別のＭＡＰに直接供給することができる。
【００６８】
上記のコンピュータアーキテクチャおよびシステムは実施例にすぎず、一般プロセッサ、コプロセッサ、ＦＰＧＡおよび他のプログラマブル論理デバイス、システムオンチップ（ＳＯＣ）、特定用途向け集積回路（ＡＳＩＣ）、ならびに他の処理および論理要素の任意の組み合わせを使用するシステムを含む、多種多様の他のコンピュータ、携帯電話、および携帯用情報端末アーキテクチャおよびシステムを、例示的実施形態に関連して使用することができる。ランダムアクセスメモリ、ハードドライブ、フラッシュメモリ、テープドライブ、ディスクアレイ、ネットワークアタッチトストレージ（ＮＡＳ）、ならびに他のローカルまたは分散型データ記憶デバイスおよびシステムを含む、任意の種々のデータ記憶媒体を、例示的実施形態に関連して使用することができる。
【００６９】
例示的実施形態では、コンピュータシステムは、上記または他のコンピュータアーキテクチャおよびシステムのうちのいずれかで実行する、ソフトウェアモジュールを使用して実装することができる。他の実施形態では、システムの機能は、部分的または完全に、ファームウェア、図５で参照されるようなフィールドプログラマブルゲートアレイ（ＦＰＧＡ）等のプログラマブル論理デバイス、システムオンチップ（ＳＯＣ）、特定用途向け集積回路（ＡＳＩＣ）、または他の処理および論理要素で実装することができる。例えば、図３で図示されるアクセラレータカード３１２等のハードウェアアクセラレータカードの使用を通したハードウェア加速を伴って、セットプロセッサおよびオプティマイザを実装することができる。
【００７０】
（本発明の製品）
いくつかの実施形態では、本明細書に説明される本発明は、医療ケアアルゴリズムへのアクセスを提供するように適合される、コンピュータプログラム製品を備えている。本発明の製品は、医療ケアアルゴリズムであることができる。医療ケアアルゴリズムは、例えば、アルゴリズムのユーザと同一国を含む、地理的場所において生産および／または伝送されることができる。医療ケアアルゴリズムは、例えば、ある国内の地理的場所から生産および／または伝送されることができ、アルゴリズムのユーザは、異なる国に存在することができる。いくつかの実施形態では、本発明の製品は、ユーザによってアクセスおよびナビゲートされ得る、医療ケアアルゴリズムを備えている、コンピュータプログラムデータ製品である。いくつかの実施形態では、本発明のシステムによってアクセスされるデータは、複数の地理的場所６０１のうちの１つからユーザ６０２に伝送され得る、コンピュータプログラム製品である（図６）。医療ケアアルゴリズムからのデータは、例えば、ネットワーク、セキュアネットワーク、非セキュアネットワーク、インターネット、またはイントラネットによって、複数の地理的場所間で伝送されることができる。いくつかの実施形態では、医療ケアアルゴリズムは、物理的および有形製品である。
【００７１】
（実施例）
（実施例１）医師が、危機的状態における対象の治療を支援するための本発明のシステムおよび方法を利用する
対象が、病院に搬送される。対象は、１００拍数／分を上回るパルスレートを有し、少なくとも連続３回の不規則心拍を伴う。対象は主治医によって、心室性頻拍であると診断される。主治医は、手術室内のタッチスクリーンモニタから本発明のシステムにアクセスする。主治医は、本発明のホームアイコン１０１を選択する。主治医は、危機的ケア選択可能アイコン１０２を選択する。主治医は、複数の危機的ケアアルゴリズムを備えている群から、心室性頻拍アルゴリズム（図７、７０１）を探す。主治医は、心室性頻拍アルゴリズムを備えている選択可能アイコンを選択する。
【００７２】
主治医は、対象に対処する際に行われる治療決定を支援する、情報を探す。主治医は、タッチスクリーンモニタ内の心室性頻拍アルゴリズムの少なくとも一部を可視化する。主治医は、ホームアイコンに戻る７０２ことができ、主治医は、ナビゲートしているアルゴリズムのタイプ、この場合、危機的ケアアルゴリズム７０３を可視化することができる。
【００７３】
主治医は、対象評価７０５の間、講じられるべき措置を可視化する。例えば、心室性頻拍アルゴリズム７０１は、主治医が対象の気道および血管アクセスを確保および検証することを提案する、推奨を表示することができる。主治医は、対象に対処する主治医または治療を行う臨床チームの任意のメンバーのいずれかによって行われた前のステップ７０４を可視化することができる。主治医は、治療の過程の間に講じられるべき措置７０６を可視化することができる。加えて、主治医は、それぞれ、治療されている対象および心室性頻拍診断に関連付けられる、リアルタイム関連医療媒体７０７と、可能性として考えられる寄与要因７０８とを可視化することができる。
【００７４】
主治医が、心室性頻拍アルゴリズム７０１をナビゲートする場合、医師は、心室性頻拍アルゴリズムの少なくともステップ７０６または少なくとも分岐７０６を可視化する。主治医はまた、アルゴリズムの分岐された配列（図８、８０１）のフル画面可視化を支援する、アイコンを選択することができる。医師が、本発明のシステムを用いて、心室性頻拍アルゴリズムをナビゲートする場合、アルゴリズム８０１の分岐またはスクロール配列の少なくとも１つのステップが、措置７０６ウィンドウ内に表示される。
【００７５】
主治医は、最初に、必要に応じて、対象呼吸を補助することを推奨するステップ８０２と、その後、血圧を計り、ＩＶラインをつなぎ、対象を心臓モニタに接続することの推奨とを可視化する８０３。医師は、深刻な兆候または症状に関して臨床症例を評価するように促される８０４。医師は、関連医療媒体７０７および他の情報を参照し、決定を行う。医師は、対象が安定８０５または不安定８１５であるかどうかを尋ねる、措置７０６ウィンドウ内に表示される選択可能アイコンを選択するように促される。
【００７６】
対象が安定８０５している場合、医師は、アルゴリズムの安定８０５分岐内の推奨に従うように促される。推奨される措置の過程のうちのいくつかは、医師がＱＲＳタイプを決定するように促し得る８０６。ＱＲＳが単源性ＱＲＳタイプ８０７である場合、主治医は、対象が、１０分の時間過程にわたって与えられ、２回繰り返される、１５０ｍｇのアミオダロン、または２０ｍｇ／分のプロカインアミドを用いて治療される８０８かどうかを決定するように促され得る。医師はさらに、処方箋を記入するための主治医による要求を認定薬調合機械に伝送する、本発明のインターフェースと相互作用することができる。医師は、心室性頻拍が持続する場合、同期性通電を検討する８０９ように促され得る。全ステップは、本発明の措置７０６ウィンドウ内において、またはフルウィンドウ分岐アルゴリズム８０１として、可視化されることができる。
【００７７】
対象が安定８０５しているが、対象のＱＲＳタイプが、多源性８１０である場合、主治医は、アルゴリズムの異なる分岐からの推奨に従うように促され得る。主治医は、専門家８１１、例えば、心臓病専門医専門医による対象に関する助言を要求するように促され得る。主治医は、マグネシウムまたは電解質レベルを補正するように促され得８１２、主治医は、対象に個人化された医薬品介入を検討するように促され得る８１３。医薬品介入の量および処方される投薬量は、本発明のシステムおよび方法によって、体重、年齢、および性別等の対象特有の基準に個人化されることができる８１３。医師は、心室性頻拍が持続する場合、同期性通電を検討するように促され得る８１４。それらのステップは全て、個々に、本発明の措置７０６ウィンドウ内に、またはフルビューウィンドウ分岐アルゴリズム８０１として、可視化されることができる。
【００７８】
対象が不安定８１５である場合、医師は、アルゴリズムの不安定８１５分岐内の推奨に従うように促される。主治医は、対象を沈静化するように促され得８１６、主治医は、ＱＲＳタイプが多源性である場合、非同期ショックを行うように促され得る８１７。主治医は、対象に同期性通電するように促され得る８１８。同期性通電に使用される電圧の推奨される強度８１８は、本発明のシステムおよび方法によって、体重、年齢、および性別等の対象特有の基準に個人化されることができる。主治医は、１５０ｍｇのアミオダロン等の医薬品の所与の投薬量を対象に処方するように促され得る８１９。医薬品介入の量および処方される投薬量８１９は、本発明のシステムおよび方法によって、体重、年齢、および性別等の対象特有の基準に個人化されることができる。医師は、心室性頻拍が持続する場合、より高い電圧の同期性通電を検討する８２０ように促され得る。全ステップは、本発明の措置７０６ウィンドウ内において、またはフルウィンドウ分岐アルゴリズム８０１として可視化されることができる。
【００７９】
主治医によって追求される危機的ケアアルゴリズムの全ステップは、対象に関連付けられた電子医療記録に保存されることができる。主治医は、対象を治療する際に選択可能アイコンを選択することによって、心室性頻拍アルゴリズムによって提供される推奨を追求することを承認することができる。全情報は、対象に関連付けられた電子医療記録または薬局医療記録に保存されることができる。
【００８０】
（実施例２）医療ケアチームのメンバーが、対象の緊急ケアを支援するための本発明のシステムおよび方法を利用する
対象が、交通事故後、病院に搬送される。対象は、危機的状態にあり、対象は、全身麻酔下に置かれている。対象は、悪性高熱症を発病しており、通常、全身麻酔のために使用されるある薬物への暴露によって誘発される、稀な命を脅かす状態にある。悪性高熱症は、稀な状態であるため、主治医および救急処置室内の病院スタッフは、最近見直しを行っておらず、悪性高熱症医療ケアアルゴリズムにおけるステップを思い出せない。
【００８１】
患者に対処する医療チームのメンバーは、救急処置室内のタッチスクリーンモニタから本発明のシステムにアクセスする。医療チームのメンバーは、本発明のホームアイコン１０１を選択する。医療チームのメンバーは、危機的ケア選択可能アイコン１０２を選択する。医療チームのメンバーは、複数の危機的ケアアルゴリズムを備えている群から、悪性高熱症アルゴリズム（図９、９０１）を探す。医療チームのメンバーは、悪性高熱症アルゴリズムを備えている選択可能アイコンを選択する。
【００８２】
医療チームのメンバーは、悪性高熱症アルゴリズムにアクセスし、タッチスクリーンモニタ内の悪性高熱症アルゴリズムの少なくとも一部を可視化する。医療チームのメンバーは、アルゴリズムのステップをチームに読み上げる。「悪性高熱症の疑い９０２に応じて、以下の即時ステップを講じるべき９０３である。すなわち、誘発剤を停止し、吸入器を除去し、分時換気量を倍にし、高新鮮ガス量を伴うＦｉＯ２１．０を開始し、患者に、オピオイド、ベンゾジアゼピンを開始し、ダントロレンを調製し、血液サンプルを採取する。二次手段９０４として、監視を延長し、利尿を増加させ、術後集中治療室を準備すべきである。代謝亢進９０６等の他の深刻な兆候または症状が存在する９０５かどうかをチェックし、はい９０７の場合、患者に、静脈内ボーラスとして、２．５ｍｇ／ｋｇのダントロレンを開始し、いいえ９０９である場合、ダントロレンを調製すべきではない」。
【００８３】
（実施例３）看護士が、本発明のシステムおよび方法を利用して、実践的ガイドラインおよび施設ベースのプロトコルを精査する
看護士は、対象に対処する際に行われた治療決定を支援する、情報を探す。看護士は、病院内のタッチスクリーンデバイスから本発明にアクセスする。看護士は、本発明のホームアイコン図１を選択し、実践的ガイドラインおよび施設ベースのプロトコル１０５を選択する。看護士は、複数の独立した選択可能アイコン（図１０、１００１）を可視化する。看護士は、ＨＴＮ発症１００３、気管支痙攣１００４、肺塞栓症１００５、ショック１００７、頻脈１００８、虚血１００９、局所分析１０１０、および複数の他のアルゴリズムへの選択可能リンク１００６を含む、非危機的１００２医療ケアアルゴリズムを説明する、アイコンを精査する。看護士は、虚血選択可能アイコンを選択し、看護士は、虚血医療ケアアルゴリズムを精査する。
【００８４】
（実施例４）医学生が、本発明のシステムおよび方法を利用して、実践的ガイドラインおよび施設ベースのプロトコルを精査する
医学生が、医療学習プロセスを支援する、情報を探す。医学生は、ｉＰａｄＴＭ等の個人所有のタッチスクリーンデバイスから、本発明にアクセスする。医学生は、本発明のホームアイコン図１を選択し、本発明のホームアイコン内の実践的パラメータ選択可能アイコン１０５を選択する。医学生は、複数の独立した選択可能アイコン図１１、１１０１を可視化する。医学生は、除細動１１０３、吸引１１０４、気胸１１０５、浮腫１１０６、薬物誤用１１０７、不整脈１１０８、および複数の他のアルゴリズムへの選択可能リンク１１０９を含む、実践的パラメータ１１０２医療ケアアルゴリズムを説明するアイコンを精査する。医学生は、吸引選択可能アイコンを選択し、吸引医療ケアアルゴリズムを精査する。
【００８５】
（実施例５）小児科医が、本発明のシステムおよび方法を利用して、小児の二次救命処置（ＰＡＬＳ）アルゴリズムにアクセスする
小児科医が、見掛け心停止に苦しむ４歳児に対処するように要請される。小児科医は、救命チームが子供にＣＰＲを開始したばかりの部屋に入室する。小児科医は、心停止の原因を迅速に識別し、子供を治療しなければならない。子供では、心停止は、通常、主要心臓原因からは生じない。むしろ、子供の心停止の機構は、典型的には、進行性呼吸不全またはショック（仮死性心停止とも呼ばれる）あるいは心室細動（ＶＦ）／無脈性心室性頻拍（ＶＴ）を伴う。小児科医は、診断に確証がなく、小児科医は、可能性として考えられる異なる診断の識別を所望する。
【００８６】
小児科医は、タブレットデバイスのタッチスクリーンから本発明のシステムにアクセスする。ＣＰＲを行うことに加え、医療チームは、酸素を提供し、子供をモニタおよび除細動器に接続する。小児科医は、本発明のホームアイコン１０１を選択する。小児科医は、小児の二次救命処置選択可能アイコン１０４を選択する。小児科医は、小児科心停止アルゴリズムを選択する。本発明のシステムは、可能な異なる診断を伴うリストを提供する。小児科心停止は、多くの場合、仮死性心停止としても知られる、進行性呼吸不全またはショックから生じる。仮死は、全身性低酸素血症、高炭酸ガス血症、およびアシドーシスのさまざまな時期から開始し、徐脈および低血圧症に進行し、心停止に達する。小児科心停止の別の原因は、心室細動（ＶＦ）または無脈性心室性頻拍（ＶＴ）である。小児科医は、心停止の根本原因を識別することを所望し、小児科医は、本子供を治療する際の次のステップとして何を行うべきかを知ることを所望する。
【００８７】
本発明のシステムは、医師が正しい質問を尋ね、容認可能標準ケア治療を提供するように促すことによって、先を見越して、小児科医を正しい診断に向かって誘導する。臨床医は、ＥＣＧ律動によって決定されるように、心停止を「ショック性」対「非ショック性」に分類する。本発明のシステムは、小児科医が、小児科心停止アルゴリズムをナビゲートし、最初に、「律動ショック性？」であるかどうかを尋ねるように促す。心停止の治療は、「ショック性」律動が存在する場合、即時除細動である一方、それが未だ存在しない場合、ある投薬量のエピネフリンで補完された心肺蘇生（ＣＰＲ）が、「ショック性」律動を誘発するために使用される。小児科医は、律動が非ショック性であることを決定し、小児科医は、音声コマンド特徴を使用して、本発明のシステムと関わる。
【００８８】
小児科医は、律動が非ショック性であることを示すコマンドを本発明のシステムに口頭で提供する。本発明のシステムは、可聴命令を朗読し、医師に、ＣＰＲが、３〜４分おきのＩＶエピネフリンとともに、２分おきに行われるべきであることを示し、医師は、高度気道治療を検討すべきである。随意に、本発明のシステムは、子供の体重および／または年齢に基づいて、投与されるべきエピネフリンの投薬量を計算する。本発明のシステムは、先を見越して、子供が安定化するまで、小児科心停止アルゴリズムにおける全てのステップに可聴命令を提供する。
【００８９】
小児科医は、図１２に図示されるように、危機的事象の医療記録を形成し得るパラメータを提示されることができる。適切である場合、小児科医は、図１３に図示されるように、コードブルー医療記録を形成し得る、代表的パラメータが提示されることができる。
【００９０】
（実施例６）本発明のシステムが、先を見越して、臨床医の措置を誘導する。
【００９１】
臨床医が、新しい病院に転属される。臨床医は、新しい病院に特有の手技に精通していない。新しい病院は、本発明のシステムを備えている、ポータブルタッチスクリーンデバイスを提供し、臨床医は、タッチスクリーンから本発明にアクセスする。臨床医は、本発明のホームアイコン図１を選択し、実践的ガイドラインおよび施設ベースのプロトコル１０５を選択する。臨床医は、ポータブルデバイスから、その病院に特異的プロトコルに容易にアクセスする。
【００９２】
一方、臨床医は、対象の困難な気道管理を支援するように要請される。臨床医は、困難な気道医療ケアアルゴリズムにおける標準ケアステップの精査を所望する。本発明のシステムは、あるアルゴリズムから別のアルゴリズムへの高速遷移を可能にし、臨床医は、困難な気道危機的ケアアルゴリズムを迅速に選択し、そこに遷移する。臨床医は、図１４−１７に図示されるように、ポータブルデバイス上の困難な気道アルゴリズムのグラフィカルインターフェースを連続してナビゲートする。図１４−１７は、困難な気道医療ケアアルゴリズムの代表的シーケンシャルグラフィカルディスプレイを図示する。
【００９３】
図１４は、臨床医によって可視化される、グラフィカルインターフェースを図示する。図１４では、臨床医は、ａ）困難な人工呼吸、ｂ）困難な挿管、ｃ）患者協力または同意に関する困難点、およびｄ）困難な気管瘻孔形成の４つの要因の基本管理の可能性および臨床影響にアクセスするように促される。臨床医は、承認ボタンをクリックすることによって、または口頭コマンドを可聴的に朗読することによって、これらの命令の認識を承認することができる。続いて、本発明のシステムは、臨床医に、困難な気道管理のプロセス全体を通して補助酸素を送達する機会を能動的に追求するように促す（図１５）。臨床医は、承認ボタンをクリックすることによって、または口頭コマンドを可聴的に朗読することによって、これらの命令の認識を承認することができる。臨床医は、次いで、ａ）覚醒挿管対全身麻酔の誘発後の挿管試行、ｂ）挿管に対する初期アプローチのための非侵襲的技法対挿管に対する初期アプローチのための侵襲的技法、ｃ）挿管に対する初期アプローチとしてのビデオ補助喉頭鏡検査、またはｄ）自発換気の保持対自発換気の除去（図１６）の基本管理選択肢の相対的利点および実行可能性を検討するように促される。
【００９４】
臨床医は、最良の措置の過程が、覚醒挿管対全身麻酔の誘発後の挿管試行を行う可能性を考慮することであると決定する。臨床医は、承認ボタンをクリックすることによって、または口頭コマンドを可聴的に朗読することによって、これらの命令の認識を承認することができる。臨床医は、本発明のシステムによって提供される一次および代替戦略をさらに可視化することによって、アルゴリズムのナビゲートを継続することができる、または臨床医は、前の画面（図１７）に戻ることができる。本発明のシステムは、ナビゲーションの記録をそのメモリ上に記録しながら、各画面のナビゲーション後、リセットおよびリフレッシュすることができる。
【００９５】
（実施形態）
以下の非限定的実施形態は、本発明の例証的実施例を提供するが、本発明の範囲を限定しない。
【００９６】
実施形態１．医療ケアアルゴリズムを提供する方法であって、ａ）プロセッサを備えているコンピュータシステム上のモジュールへのアクセスを提供することであって、モジュールは、複数の医療ケアアルゴリズムに関連付けられ、モジュールは、各々が少なくとも１つの医療ケアアルゴリズムに独立して関連付けられた複数の選択可能アイコンをユーザに表示する、ことと、ｂ）ユーザが選択可能アイコンのうちの少なくとも１つ選択したことを決定することであって、それに応じて、プロセッサは、選択されたアイコンに関連付けられた医療ケアアルゴリズムに対して、医療ケアアルゴリズムデータベースを検索し、選択された医療ケアアルゴリズムを提供する、ことと、ｃ）コンピュータシステムによって、選択されたアイコンが選択されたことを記録することであって、記録することは、アクセスの電子医療記録を提供することと、ｄ）ディスプレイ上に、選択された医療ケアアルゴリズムの少なくとも一部を表示することとを含む、方法。
【００９７】
実施形態２．選択された医療ケアアルゴリズムは、危機的ケアアルゴリズムを備えている、実施形態１に記載の方法。
【００９８】
実施形態３．選択された医療ケアアルゴリズムは、やや危機的ケアアルゴリズムを備えている、実施形態１−２のいずれかに記載の方法。
【００９９】
実施形態４．選択された医療ケアアルゴリズムは、小児科ケアアルゴリズムを備えている、実施形態１−３のいずれかに記載の方法。
【０１００】
実施形態５．選択された医療ケアアルゴリズムは、手技特有のアルゴリズムを備えている、実施形態１−４のいずれかに記載の方法。
【０１０１】
実施形態６．選択された医療ケアアルゴリズムは、外科手術手技を行うためのアルゴリズムを備えている、実施形態１−５のいずれかに記載の方法。
【０１０２】
実施形態７．ステップに関連付けられたステップアイコンを選択することによって、医療ケアアルゴリズムの少なくとも１つのステップを医療記録内に記録することをさらに含む、実施形態１−６のいずれかに記載の方法。
【０１０３】
実施形態８．医療記録内に記録することは、タイムスタンプを記録する、実施形態７に記載の方法。
【０１０４】
実施形態９．関連医療媒体を表示することをさらに含む、実施形態１−８のいずれかに記載の方法。
【０１０５】
実施形態１０．対象のための治療介入を提案することをさらに含み、治療介入は、選択されたアイコンに関連する、実施形態１−９のいずれかに記載の方法。
【０１０６】
実施形態１１．エンコードされたコンピュータ実行可能コードを有するコンピュータ読み取り可能な媒体を備えているコンピュータプログラム製品であって、コンピュータ実行可能コードは、医療ケアアルゴリズムを提供する方法製品を実装するよう実行されるように適合され、方法は、ａ）医療ケアアルゴリズム管理システムを提供することであって、医療ケアアルゴリズム管理システムは、ｉ）ディスプレイモジュールと、ｉｉ）検出モジュールと、ｉｉｉ）検索モジュールと、ｉｖ）出力モジュールとを備えている、ことと、ｂ）ディスプレイモジュールによって、複数の選択可能アイコンをユーザに表示することであって、各選択可能アイコンは、医療ケアアルゴリズムに独立して関連付けられている、ことと、ｃ）検出モジュールによって、選択可能アイコンがユーザによって選択されたことを検出することであって、選択されたアイコンは、識別を有する、ことと、ｄ）選択されたアイコンの識別に基づいて、検索モジュールによって、医療ケアアルゴリズムのデータベースを検索することであって、検索は、選択されたアイコンに関連付けられた識別された医療ケアアルゴリズムを識別する、ことと、ｅ）出力モジュールによって、識別された医療ケアアルゴリズムを出力することとを含む、コンピュータプログラム製品。
【０１０７】
実施形態１２．識別された医療ケアアルゴリズムは、危機的ケアアルゴリズムを備えている、実施形態１１に記載のコンピュータプログラム製品。
【０１０８】
実施形態１３．識別された医療ケアアルゴリズムは、やや危機的ケアアルゴリズムを備えている、実施形態１１−１２のいずれかに記載のコンピュータプログラム製品。
【０１０９】
実施形態１４．識別された医療ケアアルゴリズムは、小児科ケアアルゴリズムを備えている、実施形態１１−１３のいずれかに記載のコンピュータプログラム製品。
【０１１０】
実施形態１５．識別された医療ケアアルゴリズムは、専門科特有のアルゴリズムを備えている、実施形態１１−１４のいずれかに記載のコンピュータプログラム製品。
【０１１１】
実施形態１６．医療ケアアルゴリズム管理システムは少なくとも１つの薬分注システムに対する処方インターフェースをさらに備え、方法はさらに、処方インターフェースによって、処方要求を薬調合機械に提出することを含む、実施形態１１−１５のいずれかに記載のコンピュータプログラム製品。
【０１１２】
実施形態１７．電子医療記録は、タイムスタンプをさらに備えている、実施形態１６に記載のコンピュータプログラム製品。
【０１１３】
実施形態１８．医療ケアアルゴリズム管理システムは、少なくとも１つの薬局への薬局インターフェースをさらに備え、方法は、電子医療記録を提供することをさらに含む、実施形態１１−１７のいずれかに記載のコンピュータプログラム製品。
【０１１４】
実施形態１９．電子医療記録は、タイムスタンプをさらに備えている、実施形態１８に記載のコンピュータプログラム製品。
【０１１５】
実施形態２０．出力モジュールは、識別された医療アルゴリズムのステップを出力する、実施形態１１−１９のいずれかに記載のコンピュータプログラム製品。
【０１１６】
実施形態２１．医療ケアアルゴリズム管理システムはさらに、ナビゲーションモジュールを備え、ナビゲーションモジュールは、承認アイコンを備え、ナビゲーションモジュールは承認アイコンが選択されたことを検出すると、後続ステップをさらに表示する、実施形態１１−２０のいずれかに記載のコンピュータプログラム製品。
【０１１７】
実施形態２２．承認アイコンを選択することは、後続ステップの出力に先立って要求される、実施形態２１に記載のコンピュータプログラム製品。
【０１１８】
実施形態２３．ナビゲーションモジュールは、複数の分岐アイコンを備え、各分岐アイコンは、独立して、識別された医療ケアアルゴリズムの異なる分岐に関連付けられ、ナビゲーションモジュールは、選択された分岐に関連付けられた分岐アイコンが選択されたことを検出すると、選択された分岐にアクセスする、実施形態２１に記載のコンピュータプログラム製品。
【０１１９】
実施形態２４．方法は、記録モジュールをさらに含み、記録モジュールは、対象に関連付けられた少なくとも１つのパラメータを記録する、実施形態１１−２３のいずれかに記載のコンピュータプログラム製品。
【０１２０】
実施形態２５．方法はさらに、記録されたパラメータに基づいて、対象に合わせて識別された医療ケアアルゴリズムをカスタマイズすることを含む、実施形態２４に記載のコンピュータプログラム製品。
【０１２１】
実施形態２６．方法はさらに、記録されたパラメータに基づいて、処方要求を薬調合機械に提出することを含む、実施形態２４に記載のコンピュータプログラム製品。
【０１２２】
実施形態２７．方法はさらに、記録されたパラメータに基づいて、処方要求を薬局に提出することを含む、実施形態２４に記載のコンピュータプログラム製品。
【０１２３】
実施形態２８．治療される対象に関連付けられたパラメータは、治療される対象の体重である、実施形態２７に記載のコンピュータプログラム製品。
【０１２４】
実施形態２９．治療される対象に関連付けられたパラメータは、治療される対象の年齢である、実施形態２７に記載のコンピュータプログラム製品。
【０１２５】
実施形態３０．治療される対象に関連付けられたパラメータは、治療される対象の性別である、実施形態２７に記載のコンピュータプログラム製品。
【０１２６】
実施形態３１．方法はさらに、出力モジュールによって、関連医療媒体を出力することを含む、実施形態１１−３０のいずれかに記載のコンピュータプログラム製品。
【０１２７】
実施形態３２．医療ケアアルゴリズムを提供する方法であって、ａ）コンピュータシステムによって、要求を受信することであって、コンピュータシステムは、プロセッサを備えている、ことと、ｂ）プロセッサによって、要求に基づいて、医療ケアアルゴリズムのデータベースを検索し、それによって、要求に関連付けられた少なくとも１つの医療ケアアルゴリズムを識別することと、ｃ）コンピュータシステムによって、識別された医療ケアアルゴリズムを記録することであって、記録することは、要求の電子医療記録を提供する、ことと、ｄ）識別された医療ケアアルゴリズムの少なくとも一部を表示することとを含む、方法。
【０１２８】
実施形態３３．識別された医療ケアアルゴリズムを通して経過を追跡することをさらに含む、実施形態３２に記載の方法。
【０１２９】
実施形態３４．経過は、対象に関連付けられた電子医療記録内に記録される、実施形態３３に記載の方法。
【０１３０】
実施形態３５．識別された医療ケアアルゴリズムの少なくとも一部は、選択可能アイコンに関連付けられる、実施形態３２−３４のいずれかに記載の方法。
【０１３１】
実施形態３６．選択可能アイコンは、タッチスクリーンアイコンである、実施形態３５に記載の方法。
【０１３２】
実施形態３７．医療ケアアルゴリズムとともに、関連医療媒体を表示することをさらに含む、実施形態３２−３６のいずれかに記載の方法。
【０１３３】
実施形態３８．識別された医療ケアアルゴリズムは、モバイルデバイス上に表示される、実施形態３２−３７のいずれかに記載の方法。
【０１３４】
実施形態３９．医療ケアアルゴリズムは、危機的ケアアルゴリズムを備えている、実施形態３２−３８のいずれかに記載の方法。
【０１３５】
実施形態４０．医療ケアアルゴリズムは、やや危機的ケアアルゴリズムを備えている、実施形態３２−３９のいずれかに記載の方法。
【０１３６】
実施形態４１．医療ケアアルゴリズムは、小児科ケアアルゴリズムを備えている、実施形態３２−４０のいずれかに記載の方法。
【０１３７】
実施形態４２．医療ケアアルゴリズムは、緊急ケアアルゴリズムを備えている、実施形態３２−４１のいずれかに記載の方法。
【０１３８】
実施形態４３．医療ケアアルゴリズムは、外科手術手技を備えている、実施形態３２−４２のいずれかに記載の方法。
【０１３９】
実施形態４４．医療ケアアルゴリズムは、専門科特有のアルゴリズムを備えている、実施形態３２−４３のいずれかに記載の方法。
【０１４０】
実施形態４５．識別された医療ケアアルゴリズムの少なくとも１つのステップを医療記録内に記録することをさらに含む、実施形態３２−４４のいずれかに記載の方法。
【０１４１】
実施形態４６．対象のための治療介入を提案することをさらに含み、治療介入は、選択されたアイコンに関連する、実施形態３２−４５のいずれかに記載の方法。
【０１４２】
実施形態４７．医療ケアアルゴリズムにアクセスする方法であって、ａ）ユーザによって、少なくとも１つの医療ケアアルゴリズムを備えているモジュールにアクセスすることであって、モジュールは、プロセッサを備えているコンピュータシステムからアクセスされる、ことと、ｂ）少なくとも１つの選択可能アイコンを選択することによって、モジュール内の医療ケアアルゴリズムをナビゲートすることであって、プロセッサは、選択に基づいて、電子医療記録を提供する、ことと、ｃ）医療ケアアルゴリズムの少なくとも一部をディスプレイにおいて閲覧することとを含む、方法。
【０１４３】
実施形態４８．医療ケアアルゴリズムに基づいて、治療介入を対象に提供することをさらに含む、実施形態４７に記載の方法。
【０１４４】
実施形態４９．ユーザは、外科医であり、外科手術の準備のために、ａ）−ｃ）のうちの少なくとも１つを行う、実施形態４７に記載の方法。
【０１４５】
実施形態５０．ユーザは、外科医であり、外科手術中、ａ）−ｃ）のうちの少なくとも１つを行う、実施形態４７に記載の方法。
【０１４６】
実施形態５１．ナビゲートすることは、処方要求を薬調合機械に提出することをさらに含む、実施形態４７−５０のいずれかに記載の方法。
【０１４７】
実施形態５２．ナビゲートすることは、処方要求を薬局に提出することをさらに含む、実施形態４７−５１のいずれかに記載の方法。
【図４】
2016518645.tif 000003
【図６】
2016518645.tif 000004
【図１】
2016518645.tif 000005
【図２】
2016518645.tif 000006
【図３】
2016518645.tif 000007
【図５】
2016518645.tif 000008
【図７】
2016518645.tif 000009
【図８】
2016518645.tif 000010
【図９】
2016518645.tif 000011
【図１０】
2016518645.tif 000012
【図１１】
2016518645.tif 000013
【図１２】
2016518645.tif 000014
【図１３】
2016518645.tif 000015
【図１４】
2016518645.tif 000016
【図１５】
2016518645.tif 000017
【図１６】
2016518645.tif 000018
【図１７】
2016518645.tif 000019
【国際調査報告】
2016518645.tif 000020